(57)【要約】【課題】画面の一部が暗くなっていたり、色むら等が現れるのを防止する。【解決手段】遊技盤２に画像表示装置１１の表示部を臨ませる開口窓部３１を有する画像表示装置用前面構成部材１０を備え、画像表示装置１１は、表示部を構成する液晶表示パネル２５２と、液晶表示パネル２５２に対して左右方向に配設される光源部２３１と、液晶表示パネル２５２の裏面に配設され、光源部２３１からの光を左眼用の光と右眼用の光とに屈折させて液晶表示パネル２５２に照射するフレネルレンズ２２８とを備える遊技機において、画像表示装置用前面構成部材１０は、画像表示装置１１の光源部２３１による光の照射角が大きく、その照射中央領域に相当する部位から遠い位置となる表示部の少なくとも四隅を含む特定幅の端部領域を覆うための覆い部材４７ａ、４７ｂを備える。【選択図】        図１
2004283219.tif 000002
【特許請求の範囲】
【請求項１】
遊技盤に形成された開口部に対して裏面側から取り付けられて識別情報を表示可能な表示部を有する画像表示装置と、前面側から取り付けられて前記表示部を臨ませる開口窓部を有する画像表示装置用前面構成部材とを備え、
前記画像表示装置は、前記表示部を構成する液晶表示パネルと、液晶表示パネルに対して左右方向に配設される光源部と、液晶表示パネルの裏面に配設され、光源部からの光を左眼用の光と右眼用の光とに屈折させて液晶表示パネルに照射するフレネルレンズとを備える遊技機において、
前記画像表示装置用前面構成部材は、前記画像表示装置の前記光源部による光の照射角が大きく、その照射中央領域に相当する部位から遠い位置となる前記表示部の少なくとも四隅を含む特定幅の端部領域を覆うための覆い部材を備えたことを特徴とする遊技機。
【請求項２】
前記画像表示装置用前面構成部材は、前記遊技盤に取り付けるための取付ベース部材を設けると共に、前記取付ベース部材の略中央部分に、前記取付ベース部材の後方に突出して前面が開口され後面に前記開口窓部が形成された凹室を構成し、
前記覆い部材は、前記開口窓部を形成する凹室の壁部により構成したことを特徴とする請求項１に記載の遊技機。
【請求項３】
前記画像表示装置用前面構成部材は、前記遊技盤に取り付けるための取付ベース部材を設けると共に、前記取付ベース部材の略中央部分に、前記取付ベース部材の後方に突出して前面が開口され後面に前記開口窓部が形成された凹室を構成し、
前記凹室の前記開口窓部の前側に前記覆い部材を配設するようにしたことを特徴とする請求項１に記載の遊技機。
【請求項４】
前記覆い部材は、前記表示部の上端部領域および下端部領域に設けられることを特徴とする請求項１〜３のいずれか１つに記載の遊技機。
【請求項５】
前記覆い部材は、前記表示部の左端部領域および右端部領域に設けられることを特徴とする請求項１〜４のいずれか１つに記載の遊技機。
【請求項６】
前記覆い部材は、前記表示部の四隅端部領域にのみ設けられることを特徴とする請求項１〜３のいずれか１つに記載の遊技機。
【請求項７】
前記覆い部材は、半透明に形成したことを特徴とする請求項１〜６のいずれか１つに記載の遊技機。
【請求項８】
前記覆い部材は、前記表示部の一部が臨む特別開口部を形成し、
前記画像表示装置は、前記特別開口部に対応する位置に特定情報を表示するようにしたことを特徴とする請求項１〜７のいずれか１つに記載の遊技機。
【請求項９】
前記開口窓部の前側に遊技球が流下可能な流下路を備え、
前記流下路を前記覆い部材としたことを特徴とする請求項３に記載の遊技機。
【発明の詳細な説明】
【０００１】
【発明の属する技術分野】
この発明は、立体画像表示装置を設ける遊技機に関する。
【０００２】
【従来の技術】
液晶表示器等からなる画像表示装置に複数の識別情報（識別図柄）を変動表示する変動表示ゲーム等を行い、その表示結果が特定の態様となったことに関連して、遊技者にとって有利な特別遊技状態を発生する等の特定の遊技価値を付与するようにした遊技機（パチンコ遊技機）が知られている（例えば、特許文献１参照）。
【０００３】
一方、観察者の両眼視差を利用して、立体像を見られるようにした液晶表示式の画像表示装置が提案されており（例えば、特許文献２参照）、こうした立体画像表示装置を前述のような遊技機の画像表示装置に用いることが考えられている。
【０００４】
このような画像表示装置を遊技機に配設する場合、遊技盤に形成された開口部に対して前面側から、開口窓部を有する画像表示装置用前面構成部材を取り付け、裏面側から、画像表示装置を表示部を開口窓部に臨ませて取り付けるようにしている。
【０００５】
【特許文献】
特開平１１−１５１３５２号公報
【特許文献】
特開平１０−６３１９９号公報
【０００６】
【発明が解決しようとする課題】
しかしながら、この両眼視差を利用する画像表示装置は、表示部の隅部における光度は相対的に低い。すなわち、表示部を構成する液晶表示パネルに対して左右方向に配設される光源部からの光を、フレネルレンズを介して左眼用の光と右眼用の光とに屈折させて液晶表示パネルに照射して、立体画像を出現させるようになっており、このため光源部による光の照射角（照射の傾き角）が大きく、その照射中央領域に相当する部位から遠い位置では、原理的に画面が暗くなる。したがって、画面全領域を同一色に表示しようとした場合、色むらが出る。
【０００７】
このように、画面の一部が暗くなっていたり、色むら等が生じたのでは、遊技機にとって好ましくはない。
【０００８】
この発明は、このような問題点を解決することを目的とする。
【０００９】
【課題を解決するための手段】
第１の発明は、遊技盤に形成された開口部に対して裏面側から取り付けられて識別情報を表示可能な表示部を有する画像表示装置と、前面側から取り付けられて前記表示部を臨ませる開口窓部を有する画像表示装置用前面構成部材とを備え、前記画像表示装置は、前記表示部を構成する液晶表示パネルと、液晶表示パネルに対して左右方向に配設される光源部と、液晶表示パネルの裏面に配設され、光源部からの光を左眼用の光と右眼用の光とに屈折させて液晶表示パネルに照射するフレネルレンズとを備える遊技機において、前記画像表示装置用前面構成部材は、前記画像表示装置の前記光源部による光の照射角が大きく、その照射中央領域に相当する部位から遠い位置となる前記表示部の少なくとも四隅を含む特定幅の端部領域を覆うための覆い部材を備える。
【００１０】
第２の発明は、第１の発明において、前記画像表示装置用前面構成部材は、前記遊技盤に取り付けるための取付ベース部材を設けると共に、前記取付ベース部材の略中央部分に、前記取付ベース部材の後方に突出して前面が開口され後面に前記開口窓部が形成された凹室を構成し、前記覆い部材は、前記開口窓部を形成する凹室の壁部により構成する。
【００１１】
第３の発明は、第１の発明において、前記画像表示装置用前面構成部材は、前記遊技盤に取り付けるための取付ベース部材を設けると共に、前記取付ベース部材の略中央部分に、前記取付ベース部材の後方に突出して前面が開口され後面に前記開口窓部が形成された凹室を構成し、前記凹室の前記開口窓部の前側に前記覆い部材を配設するようにする。
【００１２】
第４の発明は、第１〜第３の発明において、前記覆い部材は、前記表示部の上端部領域および下端部領域に設けられる。
【００１３】
第５の発明は、第１〜第４の発明において、前記覆い部材は、前記表示部の左端部領域および右端部領域に設けられる。
【００１４】
第６の発明は、第１〜第３の発明において、前記覆い部材は、前記表示部の四隅端部領域にのみ設けられる。
【００１５】
第７の発明は、第１〜第６の発明において、前記覆い部材は、半透明に形成する。
【００１６】
第８の発明は、第１〜第７の発明において、前記覆い部材は、前記表示部の一部が臨む特別開口部を形成し、前記画像表示装置は、前記特別開口部に対応する位置に特定情報を表示するようにする。
【００１７】
第９の発明は、第３の発明において、前記開口窓部の前側に遊技球が流下可能な流下路を備え、前記流下路を前記覆い部材とする。
【００１８】
【発明の効果】
第１の発明では、表示は行えるものの、画像表示装置における光度の相対的に低い表示部の少なくとも四隅を含む特定幅の端部領域を覆うための覆い部材を備えるので、画像表示装置の画面の一部が暗くなっていたり、一部に色むら等が現れるのを防止でき、不自然さを与えることはない。したがって、立体画像表示を良好に行える遊技機を実現できる。
【００１９】
第２〜第６の発明では、簡単な構成によって、画像表示装置の画面の一部が暗くなっていたり、色むら等が現れるのを防止でき、不自然さを回避できる。
【００２０】
第７の発明では、画像表示装置の画面の一部が暗くなっていたり、色むら等が現れたりしても、不自然さを与えにくくなる。
【００２１】
第８の発明では、画像表示装置の画面の一部が暗くなっていたり、色むら等が現れるのを防止しつつ、高い機能を確保することができるようになる。
【００２２】
第９の発明では、流下路によって、遊技球の転動を豊かに演出しつつ、画像表示装置の画面の一部が暗くなっていたり、色むら等が現れるのを防止して、不自然さを回避することができる。
【００２３】
【発明の実施の形態】
以下、本発明の実施の形態を図面に基づいて説明する。
【００２４】
図１は遊技機（パチンコ機）１の遊技盤２の正面図、図２は遊技機１の裏面図である。
【００２５】
遊技盤２は、遊技機１の前面枠３にフレームを介して取り付けられ、遊技盤２の前面はガラス枠を介して開閉可能なカバーガラスで覆われる。
【００２６】
遊技盤２には、ガイドレール４で囲われた遊技領域５のほぼ中央に開口部３５（図１１）が設けられ、開口部３５に表示窓部を構成するセンターケース（画像表示装置用前面構成部材）１０が取り付けられ、センターケース１０の奥方に開口部に対して遊技盤２の裏面側から取り付けられる画像表示装置１１が配設される。
【００２７】
遊技領域５の下方には大入賞口の変動入賞装置６が、センターケース１０には始動入賞記憶表示器１２が、センターケース１０の直ぐ下方には普電（普通電動役物）式の始動入賞口７が、変動入賞装置６の左右には普図表示器１４ならびに普図始動記憶表示器（図示しない）が、始動入賞口７の左右には普図表示器１４の始動ゲート１５ならびに一般入賞口１６が配設される。
【００２８】
遊技領域５の左右の隅ならびに変動入賞装置６の左右には装飾用ランプ１７、１８が配設される。
【００２９】
前面枠３の下部に配設された打球発射操作部の操作にしたがい打球発射装置から発射された遊技球は、発射路２０を通り、遊技領域５に打ち出され、遊技領域５内の各所に配置された風車等の転動誘導部材により転動方向を変えられながら遊技領域５表面を流下し、変動入賞装置６、始動入賞口７、一般入賞口１６に入賞するか、アウト口２１から排出される。
【００３０】
始動入賞口７、一般入賞口１６、変動入賞装置６に遊技球が入賞すると、排出装置２２から入賞装置に応じた数の賞球が排出され、前面枠３の上皿あるいは下皿に供給される。
【００３１】
この一方、遊技球の始動入賞口７の入賞（特別図柄始動記憶）に基づき、画像表示装置１１で複数の識別情報（識別図柄）Ｍ（図１は数字を示す）を変動表示する変動表示ゲームが行われると共に、所定の乱数に基づく大当たり抽選の結果が大当たりであれば、変動表示ゲームが所定の大当たりの態様で停止され、大当たり遊技（特別遊技状態）が発生される。大当たり遊技が発生すると、変動入賞装置６が所定期間にわたって、球を受け入れない閉状態（遊技者に不利な状態）から球を受け入れやすい開状態（遊技者に有利な状態）に変換される特別遊技が行われる。
【００３２】
また、始動ゲート１５を遊技球が通過すると、その通過（普図始動記憶）に基づき、普図表示器１４の表示に関する乱数が抽出され、乱数が当たりであれば、普図表示器１４に当たり表示が行われて、始動入賞口７の普電が所定時間にわたって拡開され、始動入賞口７への入賞が容易にされる。
【００３３】
図３は画像表示装置１１の機能説明図である。
【００３４】
光源２３１は、白色発光ダイオード等（または冷陰極管等）を左右方向に配置したものが用いられている。光源２３１の左右の光源部２３４ａ、２３４ｂの前面には、偏光フィルタ２３５が取り付けられている。偏光フィルタ２３５は右側の光源部２３４ａの前面領域（右側領域）２３５ａと左側の光源部２３４ｂの前面領域（左側領域）２３５ｂとで透過する光の偏光が異なる（例えば、右側領域２３５ａと左側領域２３５ｂとで透過する光の偏光を９０度ずらす）ように設定されている。
【００３５】
左右の光源部２３４ａ、２３４ｂから放射された光は、偏光フィルタ２３５によって一定の偏光の光のみが透過される。すなわち、左右の光源部２３４ａ、２３４ｂから放射された光のうち、偏光フィルタ２３５の右側領域２３５ａを通過した光（右側の光源部２３４ａの光）と、左側領域２３５ｂを通過した光（左側の光源部２３４ｂの光）とが異なる偏光の光としてフレネルレンズ２２８に照射される。
【００３６】
フレネルレンズ２２８は凸レンズであり、フレネルレンズ２２８では左右の光源部２３４ａ、２３４ｂから拡散するように放射された光の光路を略平行に屈折して微細位相差板２５３を透過して、液晶表示パネル２５２に照射する。
【００３７】
このとき、微細位相差板２５３から照射される光は、上下方向に広がることがないように出射され、液晶表示パネル２５２に照射される。すなわち、微細位相差板２５３の特定の領域を透過した光が、液晶表示パネル２５２の特定の表示単位の部分を透過するようになっている。
【００３８】
また、液晶表示パネル２５２に照射される光のうち、偏光フィルタ２３５の右側領域２３５ａを通過した光と左側領域２３５ｂを通過した光とは、異なる角度でフレネルレンズ２２８に入射し、フレネルレンズ２２８で屈折して左右異なる経路で液晶表示パネル２５２から放射される。偏光フィルタ２３５の右側領域２３５ａを通過した光は左眼ゾーンに、左側領域２３５ｂを通過した光は右眼ゾーンに向かうようになっている。
【００３９】
液晶表示パネル２５２は、２枚のガラス板の間に所定の角度（例えば、９０度）ねじれて配向された液晶が配置されており、例えば、ＴＦＴ型の液晶表示パネルに構成されている。液晶表示パネル２５２に入射した光は、液晶に電圧が加わっていない状態では、入射光の偏光が９０度ずらして出射される。一方、液晶に電圧が加わっている状態では、液晶のねじれが解けるので、入射光はそのままの偏光で出射される。
【００４０】
液晶表示パネル２５２の光源２３１側には、微細位相差板２５３及び偏光板２５１（第２偏光板）が配置されており、観察者側には、偏光板２５０（第１偏光板）が配置されている。
【００４１】
微細位相差板２５３は、光透過性の基材２５６に、微細な幅の１／２波長板２５７が設けられた領域２５８ａと、１／２波長板２５７が設けられていない１／２波長板２５７の幅と同一の微細な幅の領域２５８ｂとが繰り返して設けられている。この領域２５８ａ、２５８ｂは、液晶表示パネル２５２の表示単位と略同一のピッチとして、表示単位毎（すなわち、表示単位の水平ライン毎）に交互に設けられている。
【００４２】
１／２波長板２５７は、その光学軸を偏光フィルタ２３５の右側領域２３５ａを透過する光の偏光軸と４５度傾けて配置して、右側領域２３５ａを透過した光の偏光軸を９０度回転させて出射する。すなわち、右側領域２３５ａを透過した光の偏光を９０度回転させて、左側領域２３５ｂを透過する光の偏光と等しくする。すなわち、１／２波長板２５７が設けられていない領域２５８ｂは左側領域２３５ｂを通過した、偏光板２５１と同一の偏光を有する光を透過し、１／２波長板２５７が設けられた領域２５８ａは右側領域２３５ａを通過した、偏光板２５１と偏光軸が直交した光を、偏光板２５１の偏光軸と等しくなるように回転させて出射する。
【００４３】
この微細位相差板２５３の偏光特性の繰り返しは、液晶表示パネル２５２の表示単位と略同一のピッチとして、表示単位毎（すなわち、表示単位の水平ライン毎）に透過する光の偏光が異なるようにする。よって、液晶表示パネル２５２の表示単位の水平ライン（走査線）毎に対応する微細位相差板の偏光特性が異なるようになって、水平ライン毎に出射する光の方向が異なる。微細位相差板２５３の偏光特性の繰り返し毎に異なる光を液晶表示パネル２５２の表示素子（水平ライン）に照射する必要があるため、微細位相差板２５３を透過して液晶表示パネル２５２に照射される光は、上下方向の拡散を抑制したものである必要がある。
【００４４】
すなわち、微細位相差板２５３の光の位相を変化させる領域２５８ａは、偏光フィルタ２３５の右側領域２３５ａを透過した光を、左側領域２３５ｂを透過した光の偏光と等しくして透過する。また、微細位相差板２５３の光の位相を変化させない領域２５８ｂは、偏光フィルタ２３５の左側領域２３５ｂを透過した光をそのまま透過する。そして微細位相差板２５３を出射した光は、左側領域２３５ｂを透過した光と同じ偏光を有して、液晶表示パネル２５２の光源側に設けられた偏光板２５１に入射する。
【００４５】
偏光板２５１は第２偏光板として機能し、微細位相差板２５３を透過した光と同一の偏光の光を透過する偏光特性を有する。すなわち、偏光フィルタ２３５の左側領域２３５ｂを透過した光は第２偏光板２５１を透過し、偏光フィルタ２３５の右側領域２３５ａを透過した光は偏光軸を９０度回転させられて第２偏光板２５１を透過する。また、偏光板２５０は第１偏光板として機能し、偏光板２５１と９０度異なる偏光の光を透過する偏光特性を有する。
【００４６】
このような微細位相差板２５３、偏光板２５１、液晶表示パネル２５２及び偏光板２５０を組み合わせて画像表示装置を構成する。このとき、液晶に電圧が加わった状態では、微細位相差板２５３を透過した光は偏光板２５０を透過する。一方、液晶に電圧が加わっていない状態では、微細位相差板２５３を透過した光は偏光が９０度ねじれて液晶表示パネル２５２から出射されるので、偏光板２５０を透過しない。
【００４７】
ディフューザ２２６は、第１偏光板２５０の前面側（観察者側）に取り付けられており、液晶表示パネルを透過した光を上下方向に拡散する。
【００４８】
図４は、画像表示装置１１の駆動回路６００を示すブロック図である。
【００４９】
画像表示装置を駆動するための主制御回路６０１には、ＣＰＵ６１１、プログラムなどを予め格納したＲＯＭ６１２、ＣＰＵ６１１の動作時にワークエリアとして使用されるメモリであるＲＡＭ６１３が設けられている。これらのＣＰＵ６１１、ＲＯＭ６１２及びＲＡＭ６１３はバス６１８によって接続されている。このバス６１８はＣＰＵ６１１がデータの読み書きをするために使用するアドレスバス及びデータバスから構成されている。
【００５０】
また、外部との入出力を司る通信インターフェース６１５、入力インターフェース６１６及び出力インターフェース６１７が、バス６１８に接続されている。通信インターフェース６１５は、所定の通信プロトコルに従ってデータ通信を行うためのデータ入出力部である。入力インターフェース６１６、出力インターフェース６１７は、画像表示装置に表示する画像データを入出力する。
【００５１】
また、バス６１８には、表示制御回路６０２のグラフィック・ディスプレイ・プロセッサ（ＧＤＰ）６５１が接続されている。ＧＤＰ６５１は、ＣＰＵ６１１によって生成された画像データを演算し、ＲＡＭ６５３に設けられたフレームバッファに書き込んで、画像表示装置に対して出力する信号（ＲＧＢ、Ｖ  ＢＬＡＮＫ、Ｖ＿ＳＹＮＣ、Ｈ＿ＳＹＮＣ）を生成する。ＧＤＰ６５１には、ＲＯＭ６５２及びＲＡＭ６５３が接続されており、ＲＡＭ６５３には、ＧＤＰ６５１が動作するためのワークエリア及び表示データを記憶するフレームバッファが設けられている。また、ＲＯＭ６５２には、ＧＤＰ６５１が動作するために必要なプログラム及びデータが記憶されている。
【００５２】
また、ＧＤＰ６５１には、ＧＤＰ６５１にクロック信号を供給する発振器６５８が接続されている。発振器６５８が生成するクロック信号は、ＧＤＰ６５１の動作周期を規定し、ＧＤＰ６５１から出力される同期信号（例えば、Ｖ＿ＳＹＮＣ、ＶＢＬＡＭＮＫ）の周期を生成する。
【００５３】
ＧＤＰ６５１から出力されるＲＧＢ信号は、γ補正回路６５９に入力されている。このγ補正回路６５９は、画像表示装置の信号電圧に対する照度の非線形特性を補正して、画像表示装置の表示照度を調整して、画像表示装置に対して出力するＲＧＢ信号を生成する。
【００５４】
合成変換装置６７０は、右目用フレームバッファ、左目用フレームバッファ及び立体視用フレームバッファが設けられており、ＧＤＰ６５１から送られてきた右目用画像を右目用フレームバッファに書き込み、左目用画像を左目用フレームバッファに書き込む。そして、右目用画像と左目用画像とを合成して立体視用画像を生成して立体視用フレームバッファに書き込んで、立体視用画像データをＲＧＢ信号として画像表示装置に出力する。
【００５５】
この右目用画像と左目用画像との合成による立体視用画像の生成は、微細位相差板２５３の１／２波長板２５７の間隔毎に、右目用画像と左目用画像と組み合わせる。具体的には、本実施の形態の画像表示装置の微細位相差板２５３の１／２波長板２５７は液晶表示パネル２５２の表示単位の間隔で配置されているので、液晶表示パネル２５２の表示単位の横方向ライン（走査線）毎に右目用画像と左目用画像とが交互に表示されるように立体視用画像を表示する。
【００５６】
Ｌ信号出力中にＧＤＰ６５１から送信されてきた左目用画像データを左目用フレームバッファに書き込み、Ｒ信号出力中にＧＤＰ６５１から送信されてきた右目用画像データを右目用フレームバッファに書き込む。そして、左目用フレームバッファに書き込まれた左目用画像データと、右目用フレームバッファに書き込まれた右目用画像データとを走査線一本毎読み出して、立体視用フレームバッファに書き込む。
【００５７】
画像表示装置内には液晶ドライバ（ＬＣＤ  ＤＲＶ）６８１、バックライトドライバ（ＢＬ  ＤＲＶ）６８２が設けられている。液晶ドライバ（ＬＣＤ  ＤＲＶ）６８１は、合成変換装置６７０から送られてきたＶ  ＢＬＡＮＫ信号、Ｖ＿ＳＹＮＣ信号、Ｈ＿ＳＹＮＣ信号及びＲＧＢ信号に基づいて、液晶表示パネルの電極に順次電圧をかけて、液晶表示パネルに立体視用の合成画像を表示する。
【００５８】
バックライトドライバ６８２は、ＧＤＰ６５１から出力されたＤＴＹ＿ＣＴＲ信号に基づいて光源（バックライト）２３１に加わる電圧のデューティー比を変化させて、液晶表示パネル２５２の明るさを変化させる。
【００５９】
図５は、センターケース１０ならびに画像表示装置１１の斜視図、図６〜図８は、それぞれ画像表示装置１１と画像表示装置本体２２０とその後側構成部の分解斜視図である。
【００６０】
画像表示装置１１は、前面カバーパネル２０１と後部カバ−ボックス２０２とにより構成される外装ケースに画像表示装置本体２２０が組み入れられる。
【００６１】
画像表示装置本体２２０は、前面ユニット２２１（前側構成部）と後部ユニット２２２（後側構成部）等から構成される。
【００６２】
前面ユニット２２１は、取付ベース２２３にカバー枠２２４、レンズ保持枠を介してディフューザ（拡散板）２２６、液晶表示パネルユニット２２７、フレネルレンズ２２８が組み付けられる。
【００６３】
液晶表示パネルユニット２２７は、図３のように第１、第２偏光板２５０，２５１と液晶表示パネル２５２と微細位相差板２５３とから構成される。フレネルレンズ２２８は、平板状の凸レンズで、液晶表示パネルユニット２２７と同程度の大きさに形成され、液晶表示パネルユニット２２７の裏面に配設される。
【００６４】
後部ユニット２２２は、前面ユニット２２１のフレネルレンズ２２８の後方側に上部空間を、その下方に下部空間を形成する後部ケース２３０に、光源（光源ユニット）２３１、ミラー（反射部材）２３２が組み付けられる。
【００６５】
光源ユニット２３１は、ホルダ２３３の中央部およびその両側にホルダ前方向に所定角度斜行して形成した周辺部に、図９のように所定複数の光源２３４（例えば、白色発光ダイオード等の発光素子：ＬＥＤ）が連続して配置され、線状発光源に構成されると共に、後部ケース２３０の下部空間に液晶表示パネルユニット２２７に対してホルダ２３３の周辺部を左右方向に、かつ後側斜め上方（周辺部の光源は後側斜め内側上方）に向けて光を発光するように、下部空間の後部壁に、後傾して取り付けられる。
【００６６】
ミラー２３２は、光源ユニット２３１の各光源２３４の光をフレネルレンズ２２８に照射（反射）するように、後部ケース２３０の上部空間の所定角度前傾した上半壁に取り付けられる。
【００６７】
各光源２３４は、ホルダ２３３に、それぞれ光軸中心がフレネルレンズ２２８のほぼ中心部を通るように、かつフレネルレンズ２２８の中心部からほぼ等距離に位置するように、配置されると共に、フレネルレンズ２２８の中心部からその焦点距離にほぼ等しい距離に来るように、光源ユニット２３１の位置が定められる（光源２３４の光、フレネルレンズ２２８の中心部からの距離は、ミラー２３２を系路にする）。
【００６８】
光源ユニット２３１の前面には、複数の光源２３４のうち、右側の光源部２３４ａの光を左眼用の偏光の光に、左側の光源部２３４ｂの光を右眼用の偏光の光にする偏光フィルタ２３５が取り付けられる。
【００６９】
前面ユニット２２１は、後部ユニット２２２の後部ケース２３０に組み付けられ、前面ユニット２２１の下部には、後部ケース２３０の下部空間の光源ユニット２３１の光源カバー２３６が取り付けられる。
【００７０】
この画像表示装置本体２２０の前面には、前面カバーパネル２０１が取り付けられ、後部には、基板ホルダ２３７、２３８に駆動用の基板が配設されると共に、後部カバ−ボックス２０２が取り付けられ、後部カバ−ボックス２０２には、光源ユニット２３１の空冷用のファン２４０が配設される。
【００７１】
このように、前面ユニット２２１に画像表示装置１１の表示部Ｓ（液晶表示パネル２５２等からなる：前面カバーパネル２０１および前面ユニット２２１のカバー枠２２４のほぼ開口域）を構成すると共に、その裏面にフレネルレンズ２２８を配設して、後部ユニット２２２の後部ケース２３０の下部空間に光源（光源ユニット）２３１を配設するので、フレネルレンズ２２８に対して、ミラー２３２を系路にして、フレネルレンズ２２８の焦点距離にほぼ等しい間隔を空けて光源２３１を配設でき（フレネルレンズ２２８を介して、右側の光源部２３４ａの光を左眼ゾーンに向かわせるように、左側の光源部２３４ｂの光を右眼ゾーンに向かわせるように、屈折させるため）、装置をコンパクトにできる。
【００７２】
一方、フレネルレンズ２２８を介して、右側の光源部２３４ａの光を左眼ゾーンに向かわせるように、左側の光源部２３４ｂの光を右眼ゾーンに向かわせるように、屈折させて、液晶表示パネル２５２（液晶表示パネルユニット２２７）に照射する場合、液晶表示パネル２５２の表示部Ｓの隅部つまり画像表示装置１１の表示部Ｓの隅部における光度は相対的に低くなってしまうが、これに対して、表示窓部を構成するセンターケース１０に、表示部Ｓの光度の低い端部領域を覆うための覆い部材を設ける。
【００７３】
次に、センターケース１０について説明する。
【００７４】
センターケース１０は、図５、図１０、図１１のように、遊技盤２に取り付けるための取付ベース部材３０が設けられ、取付ベース部材３０の略中央部分に取付ベース部材３０の後方に突出して前面が開口され後面に開口窓部３１が形成される凹室３２を構成する後方突出部材３３が、取付ベース部材３０の枠部３４の後部に取り付けられる。
【００７５】
取付ベース部材３０は、遊技盤２の開口部３５に枠部３４を差し込み、遊技盤２の表面に取り付けられる。
【００７６】
取付ベース部材３０の前面上部には、遊技球が凹室３２の前面領域へ落下してくるのを防ぐ左右の鎧部３６が設けられ、中央には上部装飾パーツ３７が取り付けられる。鎧部３６の下部、取付ベース部材３０の左右の枠部３４の内側には、上飾り４０、左右飾り４１、遊技の進行等にしたがって所定の動作を行う電動式のキャラクタ部材５０、５１が取り付けられる。
【００７７】
取付ベース部材３０の上部の枠部３４の内側には、始動入賞記憶表示器１２つまり始動入賞口７の入賞記憶（特別図柄始動記憶：この記憶数分、変動表示ゲームを実行するようになっている）の表示領域部（始動記憶表示領域部）４２が形成され、表示領域部４２の前面に始動記憶表示用レンズ部材４３が取り付けられる。
【００７８】
取付ベース部材３０の裏面上部には、上部装飾パーツ３７、鎧部３６、表示領域部４２に対応して、装飾用ランプ・ＬＥＤ４４ならびに始動記憶表示用ＬＥＤ４５を配置したＬＥＤ基板フレーム４６が取り付けられる。
【００７９】
後方突出部材３３の凹室３２には、開口窓部３１の上部および下部に所定幅の覆い部材４７ａ、４７ｂが形成される。覆い部材４７ａ、４７ｂは、凹室３２の壁部によって構成するように形成される。
【００８０】
後方突出部材３３の奥方に、遊技盤２の裏面に取り付けた取付台５５（構成部材：図２参照）を介して、画像表示装置１１が、凹室３２の開口窓部３１ならびにその上下の覆い部材４７ａ、４７ｂの裏面に表示部Ｓを合わせ、取り付けられる。
【００８１】
覆い部材４７ａ、４７ｂは、画像表示装置１１の表示部Ｓの光度の低い上端部領域４８ａ、下端部領域４８ｂを覆う大きさに形成される。
【００８２】
すなわち、図５、図１２に示すように、画像表示装置１１の表示部Ｓは、フレネルレンズ２２８に対する光源２３１による光の照射角（照射の傾き角）が大きく、その照射中央領域に相当する部位から遠い位置となる所定幅の上端部領域４８ａ、下端部領域４８ｂが覆われる。
【００８３】
取付ベース部材３０の下部の枠部３４の内側には、遊技球の転動用の案内棚５２が取り付けられ、案内棚５２に乗った遊技球が下方の始動入賞口７に向けて落下するように形成される。
【００８４】
このように構成したため、画像表示装置１１の画面（表示部Ｓ）の一部が暗くなっていたり、一部に色むら等が現れるのを防止できる。
【００８５】
すなわち、表示は行えるものの、光度が相対的に低い表示部Ｓの上端部領域４８ａ、下端部領域４８ｂを覆い部材４７ａ、４７ｂによって覆うので、暗くなる部分および色むら等を生じる部分は隠れ、そのため不自然さを与えることはない。
【００８６】
したがって、画像表示装置１１の画面（表示部Ｓ）を透過して左眼ゾーンに到る左目画像と右眼ゾーンに到る右目画像とによって、観察者は両眼視差に基づき立体画像として見ることができる。
【００８７】
図１３、図１４は、画像表示装置１１の光学系を示す側面図、平面図である。ただし、図１３中、光源２３１は中央部のみを示し、点線で表した光源２３１は見かけ上の位置である。また、図１４においては、ミラー２３２を省略して、光源２３１を見かけ上の位置に、左右の光源部２３４ａ、２３４ｂを概略的に表してある。
【００８８】
図１３、図１４に示すように、各光源部２３４ａ、２３４ｂの光源２３４から放射された光は偏光フィルタ２３５を透過して放射状に広がっている。
【００８９】
右側の光源部２３４ａの光源２３４から放射され偏光フィルタ２３５の右側領域２３５ａを透過した光（一点鎖線で光路の中心を示す）は、フレネルレンズ２２８に到達し、フレネルレンズ２２８で光の進行方向を変えられて、微細位相差板２５３、液晶表示パネル２５２を透過して左眼ゾーンに至る。
【００９０】
光源２３１の中央部位（中心から右側）に右側の光源部２３４ａの光源２３４を連続して配置してあるため、左眼ゾーンに至る光の照度は高くなる。すなわち、光源部２３４ａの中心側の光源２３４からの光はＡＬ領域に至るが、これに隣接する光源２３４からの光はそのＡＬ領域に大きく重なり合った領域に出射され、このように順に隣接する光源２３４からの光は順に重なり合った領域に出射され、十分な光が照射されるのである。
【００９１】
左側の光源部２３４ｂの光源２３４から放射され偏光フィルタ２３５の左側領域２３５ｂを透過した光（一点鎖線で光路の中心を示す）は、フレネルレンズ２２８に到達し、フレネルレンズ２２８で光の進行方向を変えられて、微細位相差板２５３、液晶表示パネル２５２を透過して右眼ゾーンに至る。
【００９２】
光源２３１の中央部位（中心から左側）に左側の光源部２３４ｂの光源２３４を連続して配置してあるため、右眼ゾーンに至る光の照度は高くなる。すなわち、光源部２３４ｂの中心側の光源２３４からの光はＡＲ領域に至るが、これに隣接する光源２３４からの光はそのＡＲ領域に大きく重なり合った領域に出射され、このように順に隣接する光源２３４からの光は順に重なり合った領域に出射され、十分な光が照射されるのである。
【００９３】
液晶表示パネル２５２の走査線ピッチと、微細位相差板２５３の偏光特性の繰り返しピッチとを等しくして、液晶表示パネル２５２の走査線ピッチ毎に異なる方向から到来した光を照射し、異なる方向に光を出射する。
【００９４】
右側の光源部２３４ａの光源２３４から放射され、偏光フィルタ２３５の右側領域２３５ａを透過した光は、フレネルレンズ２２８を透過して、微細位相差板２５３に到達し、偏光を９０度回転させて出射する（右側領域２３５ａを透過した光を透過する）微細位相差板２５３の領域２５８ａを透過し、さらに、液晶表示パネル２５２を透過して、左眼ゾーンに至る。すなわち、液晶表示パネル２５２の領域２５８ａに対応する位置の表示素子によって表示された左目画像が左目に到達する。
【００９５】
なお、この微細位相差板２５３の領域２５８ａと交互に並んで配置されている領域２５８ｂは光の偏光を変化させないので、偏光フィルタ２３５の右側領域２３５ａからの光は液晶表示パネル２５２の偏光板２５１つまり液晶表示パネル２５２の領域２５８ｂに対応する位置の表示素子（右目用画像を表示）を透過することはない。
【００９６】
左側の光源部２３４ｂの光源２３４から放射され、偏光フィルタ２３５の左側領域２３５ｂを透過した光は、フレネルレンズ２２８を透過して、微細位相差板２５３に到達し、偏光フィルタ２３５の左側領域２３５ｂの同一偏光の光を透過する微細位相差板２５３の領域２５８ｂを透過して、液晶表示パネル２５２を透過して、右眼ゾーンに至る。すなわち、液晶表示パネル２５２の領域２５８ｂに対応する位置の表示素子によって表示された右目画像が右目に到達する。
【００９７】
なお、この微細位相差板２５３の領域２５８ｂと交互に並んで配置されている領域２５８ａは光の偏光を変化させるので、偏光フィルタ２３５の左側領域２３５ｂからの光は液晶表示パネル２５２の偏光板２５１つまり液晶表示パネル２５２の領域２５８ａに対応する位置の表示素子（左目用画像を表示）を透過することはない。
【００９８】
一方、フレネルレンズ２２８、液晶表示パネル２５２での複屈折や散乱によって右目用画像と左目用画像とが重なるクロストークを生じるが、これに対し、左右方向にそれぞれ右側光源部２３４ａ、左側光源部２３４ｂを配列したので、クロストークを低減することができる。
【００９９】
右側光源部２３４ａ、左側光源部２３４ｂのそれぞれの光源２３４によって、前述したように左眼ゾーン、右眼ゾーンにそれぞれ十分な光が照射される。すなわち、左眼ゾーンには十分な光度の左目画像が到達し、右眼ゾーンには十分な光度の右目画像が到達する。そのため、フレネルレンズ２２８、液晶表示パネル２５２での複屈折や散乱によって右目用画像が左目に、また左目用画像が右目に入っても、左目に到達する左目画像との光度差、また右目に到達する右目画像との光度差が相対的に大きくなり、クロストークを十分に低減できるのである。
【０１００】
したがって、右目画像と左目画像とによって、観察者は立体画像を認識しやすくなり、両眼視差に基づく３次元知覚により容易に立体視することができる。
【０１０１】
また、右側光源部２３４ａの右周辺部位に配置された複数の光源２３４からの光は左眼ゾーンの左側に広角（ＤＬ領域）に出射され、左側光源部２３４ｂの左周辺部位に配置された複数の光源２３４からの光は右眼ゾーンの右側に広角（ＤＲ領域）に出射される。
【０１０２】
したがって、画像表示装置の視野角が増大する。そのため、本画像表示装置でテレビゲーム等を行う場合あるいは本画像表示装置を遊技機（パチンコ機等）の画像表示装置に用いた場合に、遊技者だけでなく、周囲の者、大勢の人が画像を見ることができる。
【０１０３】
なお、ＤＬ領域、ＤＲ領域では立体画像を見れないが、２次元画像として見ることができる。
【０１０４】
図１５は本発明の別の実施の形態を示す。
【０１０５】
これは、センタケース１０の後方突出部材３３の凹室３２の開口窓部３１の左右に所定幅の覆い部材６０ａ、６０ｂを形成したものである。
【０１０６】
すなわち、画像表示装置１１の表示部Ｓの、フレネルレンズ２２８に対する光源２３１による光の照射角（照射の傾き角）が大きく、その照射中央領域に相当する部位から遠い位置となる所定幅の左端部領域６１ａ、右端部領域６１ｂを覆う。
【０１０７】
このようにすれば、画像表示装置１１の画面（表示部Ｓ）の左右が暗くなっていたり、色むら等が現れるのを防止でき、不自然さを回避できる。
【０１０８】
図１６は本発明の別の実施の形態を示す。
【０１０９】
これは、センタケース１０の後方突出部材３３の凹室３２の開口窓部３１の四隅に曲形状の覆い部材６３ａ〜６３ｄを形成したものである。
【０１１０】
すなわち、画像表示装置１１の表示部Ｓの、フレネルレンズ２２８に対する光源２３１による光の照射角（照射の傾き角）が大きく、その照射中央領域に相当する部位から遠い位置となる四隅領域６４ａ〜６４ｄを覆う。
【０１１１】
このようにすれば、画像表示装置１１の画面（表示部Ｓ）の四隅が暗くなっていたり、色むら等が現れるのを防止でき、画面を広く使いつつ、不自然さを回避できる。
【０１１２】
図１７は本発明の別の実施の形態を示す。
【０１１３】
これは、前記形態の覆い部材に半透明部材を用いたものである（図は前図１６の覆い部材６４ａ〜６４ｄに適用した例を示す）。
【０１１４】
このようにすれば、画像表示装置１１の画面（表示部Ｓ）の一部が暗くなっていたり、色むら等が現れたりしても、不自然さを与えにくくなる。
【０１１５】
図１８は本発明の別の実施の形態を示す。
【０１１６】
これは、前記形態の覆い部材に、画像表示装置１１の表示部Ｓの一部が臨む特別開口部７０を形成して、画像表示装置１１の特別開口部７０に対応する位置に特定情報Ｇを表示するようにしたものである（図は前図５、図１０の覆い部材４７ａ、４７ｂに適用した例を示す）。
【０１１７】
この特定情報Ｇとしては、前述したように始動ゲート１５の遊技球の通過（普図始動記憶）に基づき始動入賞口７の普電を拡開するかどうかの普図（図は数字を示す）の表示を行わせるようにして良い。この場合、前記普図表示器１４は不要になる。
【０１１８】
また、特定情報Ｇとして、始動入賞口７の始動入賞記憶、始動ゲート１５の普図始動記憶の表示を行わせるようにして良い。
【０１１９】
また、特定情報Ｇとして、画像表示装置１１の変動表示ゲームの予告演出を行わせるようにして良い。これは、キャラクタを出現させたり、色を変化させたりして、リーチ（例えば、複数の識別情報（識別図柄）Ｍのうち、最後に停止する識別情報Ｍを除いた識別情報Ｍの組み合わせが大当たりの組み合わせを発生する可能性のある組み合わせ）予告、大当たり予告等を行う。大当たり予告は、比較的低い確率で行い、実際に大当たりが発生するときには、所定以上の確率で演出豊かな表示を行うようにする。
【０１２０】
覆い部材が無い場合には、前記特別開口部７０に相当する位置での表示は、明るい部分とつながって表示されるので暗さ（および色むら）が目立ちかねないが、このように覆い部材に画像表示装置１１の表示部Ｓの一部が臨む特別開口部７０を形成することによって、比較的暗くても明るい領域と区画されているので、暗さ（および色むら）が目立たずに各種表示を強調した表示で見せることができる。
【０１２１】
図１９は本発明の別の実施の形態を示す。
【０１２２】
これは、センタケース１０の後方突出部材３３の凹室３２の開口窓部３１の左右前方に遊技球の流下路（ワープ流下路：流下路構成部材を含む）８０ａ、８０ｂを設けて、この流下路８０ａ、８０ｂを画像表示装置１１の表示部Ｓの左右端部領域を覆う覆い部材としたものである。
【０１２３】
この場合、センターケース１０の取付ベース部材８１の前面上部に、遊技球を左右に振り分ける（凹室３２の前面領域へ落下するのを防ぐ）鎧部８２ａ、８２ｂを設けると共に、鎧部８２ａ、８２ｂの途中に形成した案内溝（図示しない）を介して遊技球を取付ベース部材８１の裏面の流路（図示しない）に導き入れる球入口（ワープ入口）８３ａ、８３ｂを形成する。
【０１２４】
取付ベース部材８１の裏面の流路の球出口８４ａ、８４ｂは、開口窓部３１の左右前方の流下路８０ａ、８０ｂの入口８５ａ、８５ｂの近くに、取付ベース部材８１の前方に向け開設する。
【０１２５】
流下路８０ａ、８０ｂは、流入した遊技球が転動可能な大きさの円筒状に形成された流下路構成部材に、遊技球が旋回しながら流下するように旋回溝を形成する。流下路８０ａ、８０ｂの下部には、流下路８０ａ、８０ｂを出た遊技球を取付ベース部材８１の左右端部側から下部の案内棚５２側に解放する出口樋８６ａ、８６ｂを形成する。
【０１２６】
流下路構成部材、出口樋８６ａ、８６ｂは、透明部材あるいは半透明部材で形成して良い。
【０１２７】
したがって、遊技球がセンターケース１０の鎧部８２ａ、８２ｂを介して球入口８３ａ、８３ｂに入ると、裏面の流路を通って球出口８４ａ、８４ｂから出た後、画像表示装置１１の表示部Ｓの左右端部領域を覆う流下路８０ａ、８０ｂに入って、旋回しながら流下して、出口樋８６ａ、８６ｂから取付ベース部材８１の案内棚５２を転動して、下方の始動入賞口７に向かう。
【０１２８】
このようにすれば、遊技球の転動を豊かに演出しつつ、画像表示装置１１の画面（表示部Ｓ）の一部が暗くなっていたり、色むら等が現れるのを防止して、不自然さを回避することができる。
【０１２９】
なお、実施の形態では、遊技機としてパチンコ遊技機に適用した例を示したが、その他の遊技機、例えばパチスロ等の遊技機にも適用できる。
【０１３０】
また、今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【図面の簡単な説明】
【図１】本発明の実施の形態の遊技機の遊技盤の正面図である。
【図２】遊技機の裏面図である。
【図３】画像表示装置の機能説明図である。
【図４】画像表示装置の駆動回路のブロック図である。
【図５】センターケースならびに画像表示装置の斜視図である。
【図６】画像表示装置の分解斜視図である。
【図７】画像表示装置本体の分解斜視図である。
【図８】画像表示装置本体の後部ユニットの分解斜視図である。
【図９】光源の正面図である。
【図１０】センターケースの分解斜視図である
【図１１】センターケースならびに画像表示装置の取付断面図である。
【図１２】センターケースならびに画像表示装置の正面図である。
【図１３】画像表示装置の光学系の側面図である。
【図１４】画像表示装置の光学系の平面図である。
【図１５】本発明の別の実施の形態のセンターケースならびに画像表示装置の正面図である。
【図１６】本発明の別の実施の形態のセンターケースならびに画像表示装置の正面図である。
【図１７】本発明の別の実施の形態のセンターケースならびに画像表示装置の正面図である。
【図１８】本発明の別の実施の形態のセンターケースならびに画像表示装置の正面図である。
【図１９】本発明の別の実施の形態のセンターケースならびに画像表示装置の正面図である。
【符号の説明】
１  遊技機
２  遊技盤
６  変動入賞装置
７  始動入賞口
１０  センターケース
１１  画像表示装置
１２  始動入賞記憶表示器
１４  普図表示器
１５  始動ゲート
３０  取付ベース部材
３１  開口窓部
３２  凹室
３３  後方突出部材
３５  開口部
４７ａ、４７ｂ  覆い部材
４８ａ  上端部領域
４８ｂ  下端部領域
６０ａ、６０ｂ  覆い部材
６１ａ  左端部領域
６１ｂ  右端部領域
６３ａ〜６３ｄ  覆い部材
６４ａ〜６４ｄ  四隅領域
７０  特別開口部
８０ａ、８０ｂ  流下路
８１  取付ベース部材
８３ａ、８３ｂ  球入口
８４ａ、８４ｂ  球出口
８５ａ、８５ｂ  入口
２０１  前面カバーパネル
２０２  後部カバ−ボックス
２２０  画像表示装置本体
２２１  前面ユニット
２２２  後部ユニット
２２３  取付ベース
２２４  カバー枠
２２６  ディフューザ（拡散板）
２２７  液晶表示パネルユニット
２２８  フレネルレンズ
２３０  後部ケース
２３１  光源（光源ユニット）
２３２  ミラー（反射部材）
２３４  光源
２３５  偏光フィルタ
２５０  第１偏光板
２５１  第２偏光板
２５２  液晶表示パネル
２５３  微細位相差板
２５７  １／２波長板
２５８ａ、２５８ｂ  領域
６００  駆動回路
【図１】
2004283219.tif 000003
【図２】
2004283219.tif 000004
【図３】
2004283219.tif 000005
【図４】
2004283219.tif 000006
【図５】
2004283219.tif 000007
【図６】
2004283219.tif 000008
【図７】
2004283219.tif 000009
【図８】
2004283219.tif 000010
【図９】
2004283219.tif 000011
【図１０】
2004283219.tif 000012
【図１１】
2004283219.tif 000013
【図１２】
2004283219.tif 000014
【図１３】
2004283219.tif 000015
【図１４】
2004283219.tif 000016
【図１５】
2004283219.tif 000017
【図１６】
2004283219.tif 000018
【図１７】
2004283219.tif 000019
【図１８】
2004283219.tif 000020
【図１９】
2004283219.tif 000021